(57)【要約】【課題】簡単な構造で、フランジ付操作キーの一端を押し下げても、他端側のフランジがキー用貫通孔の周縁部から飛び出すのを防止する。【解決手段】基板７を表面側から覆う筐体本体１０に複数のキー用貫通孔１２を設ける。このキー用貫通孔１２内に配置される操作キー１４にキー用貫通孔１２の周縁部内面に設けた段部１３に潜り込むフランジ１５を設ける。操作キー１４の内面側に設けられる弾性シート１６に操作キー１４を押し下げたときに可動接点２２を基板７上の固定接点２３に導通させる第１突出部１８を設ける。弾性シート１６におけるキー用貫通孔１２の段部１３よりも内周側に第１突出部１８と間隔をあけて第２突出部２０を形成する。【選択図】図１
2008192535.tif 000002
【特許請求の範囲】
【請求項１】
基板を表面側から覆い、複数のキー用貫通孔を有する筐体本体と、
上記キー用貫通孔内に配置され、該キー用貫通孔の周縁部内面に設けた段部に潜り込むフランジを有する操作キーと、
上記操作キーの内面側に設けられ、該操作キーを押し下げたときに導電性可動接点を上記基板上の固定接点に導通させる第１突出部を有する弾性シートとを備え、
上記弾性シートにおける上記キー用貫通孔の段部よりも内周側には、上記第１突出部と間隔をあけて第２突出部が形成されている
ことを特徴とする電子機器。
【請求項２】
請求項１に記載の電子機器において、
上記操作キーは、内面中央部のみが上記弾性シートに接着されている
ことを特徴とする電子機器。
【請求項３】
請求項１又は２に記載の電子機器において、
上記第１突出部と第２突出部とは、上記弾性シートに一体成形されている
ことを特徴とする電子機器。
【請求項４】
請求項１乃至３のいずれか１つに記載の電子機器において、
上記第２突出部は、上記第１突出部の左右、又は上下に一対設けられている
ことを特徴とする電子機器。
【請求項５】
請求項１乃至３のいずれか１つに記載の電子機器において、
上記第２突出部は、上記第１突出部の周囲を囲むように設けられている
ことを特徴とする電子機器。
【請求項６】
請求項１乃至５のいずれか１つに記載の電子機器において、
１つの上記キー用貫通孔内に複数の操作キーが並べて設けられている
ことを特徴とする電子機器。
【請求項７】
請求項１乃至６のいずれか１つに記載の電子機器において、
上記キー用貫通孔の周縁部内面には、突起部が形成され、該突起部を覆う上記弾性シートの当接部が上記基板に接している
ことを特徴とする電子機器。
【請求項８】
請求項７に記載の電子機器において、
上記第２突出部は、基板表面との間に隙間を有するように設けられている
ことを特徴とする電子機器。
【請求項９】
請求項８記載の電子機器において、
上記第２突出部と基板との隙間は、基板に設けられた導電性可動接点の動作変移量よりも大きい
ことを特徴とする電子機器。
【請求項１０】
携帯電話機である
ことを特徴とする請求項１乃至９のいずれか１つに記載の電子機器。
【発明の詳細な説明】
【技術分野】
【０００１】
携帯電話機等のフランジ付操作キーを備えた電子機器に関し、特にその操作キーが誤ってキー用貫通孔から飛び出すのを防止する構造に関する。
【背景技術】
【０００２】
従来より、電子機器の代表例である携帯電話機の操作部は、図６に示すように、シリコン等よりなる弾性シート１１６上に操作キー１１４を治具等を使って位置決めし、弾性シート１１６の裏面に設けた突起１１８で導電性可動接点（ドームキー１２２）を押して基板１０７の固定接点１２３に導通させるすようにしている。操作キー１１４は、キー用貫通孔１１２の周縁部内面に設けた段部１１３に潜り込むフランジ１１５を有している。そして、筐体本体１１０に操作キー１１４を組み込んだときに、筐体本体１１０の表面と操作キー１１４の表面とが同じ高さになるようにしている。
【０００３】
また、例えば、特許文献１のように、操作キーを載置した弾性シートが、フロントケースと基板との間に挟まれ、曲げ荷重を受けることによって撓んだスカート部の可撓部の復元力によって各操作キーが押し上げられ、各操作キーのフランジ部の上面がフロントケースの開口の縁部の接触面に接触するものが知られている。この電子機器では、バイブレータ作動時に、操作キーがフロントケースに断続的に当たって、不快な雑音（びりつき音）が発生することを防止するようにしている。
【０００４】
また、特許文献２のように、各操作キーは、開口を広げた状態で、フランジ部が収納部に押し込まれることによって、シート状部材に取り付けられるものが知られている。この電子機器では、操作キーを引き上げる向きに所定以上の強さの外力が加わると、ひさし部及び壁部が変形し、開口が広がることで、操作キーがボタン取付部から取り外される。また、フランジ部と筐体との間には、弾性体からなるひさし部が介在し、非押下時には、ひさし部は、フランジ部及びフロントケースに密着しているので、バイブレータ作動時に、操作キーがフロントケースに断続的に当たって、不快な雑音が発生することを防止するようにしている。
【特許文献１】特開２００４−１２７８２７号公報
【特許文献２】特開２００４−２２１０００号公報
【発明の開示】
【発明が解決しようとする課題】
【０００５】
上述したように、操作キーと弾性シートとは治具により位置出しをする際に接着剤によって貼り付けられているが、操作キーの裏面の全面が貼り付けられるのでなく、操作キーから接着剤がはみ出ないようにその中心にのみ接着剤が塗布されている。誤って接着剤がはみ出した場合、筐体本体に接着されて感触不良の原因になるからである。そのため、操作キーの周囲は弾性シートに接着されていないのが現状である。
【０００６】
また、携帯電話機は、その携帯性のためにコンパクトにすることが望まれ、その操作キーは、筐体本体に各操作キー毎にキー用貫通孔を設けるのでなく、例えば縦方向に隣り合う操作キーは１つのキー用貫通孔内に配置され、又は、横方向に隣り合う操作キーは１つのキー用貫通孔内に配置されることにより、操作キーの面積をできるだけ狭くしながら、操作性を悪化させないようにすることも行われている。
【０００７】
このように、操作キーの端は、弾性シートに接着されおらず、また、特に、１つのキー用貫通孔内に複数の操作キーが配置された場合には、図６に示すように、操作キー１１４が必要以上に傾斜し、一端側が押さえられたときに他端のフランジ１１５が筐体本体１１０のキー用貫通孔１１２から飛び出してしまうという現象が起こる。
【０００８】
本発明は、かかる点に鑑みてなされたものであり、その目的とするところは、簡単な構造で、操作キーの一端を押し下げても、他端側のフランジがキー用貫通孔の周縁部から飛び出すのを防止することにある。
【課題を解決するための手段】
【０００９】
上記課題を解決するために、本発明では、導電性可動接点を基板上の固定接点に導通させる第１突出部とは別に、この第１突出部と間隔をあけて第２突出部を設けた。
【００１０】
第１の発明では、電子機器は、
基板を表面側から覆い、複数のキー用貫通孔を有する筐体本体と、
上記キー用貫通孔内に配置され、該キー用貫通孔の周縁部内面に設けた段部に潜り込むフランジを有する操作キーと、
上記操作キーの内面側に設けられ、該操作キーを押し下げたときに導電性可動接点を上記基板上の固定接点に導通させる第１突出部を有する弾性シートとを備え、
上記弾性シートにおける上記キー用貫通孔の段部よりも内周側には、上記第１突出部と間隔をあけて第２突出部が形成されている。
【００１１】
上記の構成によると、操作キーを押し下げたときに、第１突出部が導電性可動接点を基板上の固定接点に導通させると共に、第２突出部が基板に接触することで操作キーが必要以上に傾くのが防止される。このため、操作キーの一端を押し下げても、操作キーのフランジがキー用貫通孔の周縁部から飛び出すことはない。また、第２突出部は、弾性シートに第１突出部と同時に成形可能であるので、コストアップすることなく容易に製造される。
【００１２】
第２の発明では、第１の発明において、
上記操作キーは、内面中央部のみが上記弾性シートに接着されている。
【００１３】
上記の構成によると、操作キーから接着剤がはみ出ないので、筐体本体に接着されて操作キーの感触が悪くなることはない。また、中央部のみが接着されているので、操作キーの一端を押し下げると、他端側が上昇して操作キーが浮き上がろうとするが、第２突出部が基板に接触することで操作キーが必要以上に傾くのが防止される。このため、操作キーの一端を押し下げても、操作キーのフランジがキー用貫通孔の周縁部から飛び出すことはない。
【００１４】
第３の発明では、第１又は第２の発明において、
上記第１突出部と第２突出部とは、上記弾性シートに一体成形されている。
【００１５】
上記の構成によると、弾性シートを成形するときに、第１突出部と第２突出部とを一体に成形できるので、製造が極めて容易でコストアップが生じない。
【００１６】
第４の発明では、第１乃至第３のいずれか１つの発明において、
上記第２突出部は、上記第１突出部の左右、又は上下に一対設けられている。
【００１７】
上記の構成によると、例えば、操作キーが長細いものであれば、その長手方向の一端側と他端側とに第２突出部をそれぞれ設けることで、操作キーを押し下げたときに操作キーが傾くのが防止されるので、操作キーのフランジがキー用貫通孔の周縁部から飛び出すことはない。
【００１８】
第５の発明では、第１乃至第３のいずれか１つの発明において、
上記第２突出部は、上記第１突出部の周囲を囲むように設けられている。
【００１９】
上記の構成によると、操作キーを押し下げたときに、操作キーのどの端部を押し下げても、反対側の第２突出部が確実に基板表面に接触するので、操作キーを押し下げたときに操作キーが傾くのが防止される。このため、操作キーのフランジがキー用貫通孔の周縁部から飛び出すことはない。
【００２０】
第６の発明では、第１乃至第５のいずれか１つの発明において、
１つの上記キー用貫通孔内に複数の操作キーが並べて設けられている。
【００２１】
上記の構成によると、並べられた複数の操作キーを設けるための面積を小さくすることができるので、電子機器がコンパクトになる。一方、操作キー間に筐体本体の周縁部が存在しないので、操作キーが傾きやすくなるが、第２突出部が基板に接触することで操作キーが必要以上に傾くのが防止される。このため、操作キーの一端を押し下げても、操作キーのフランジがキー用貫通孔の周縁部から飛び出すことはない。
【００２２】
第７の発明では、第１乃至第６の発明において、
上記キー用貫通孔の周縁部内面には、突起部が形成され、該突起部を覆う上記弾性シートの当接部が上記基板に接している。
【００２３】
上記の構成によると、突起部を覆う弾性シートが基板に接することで、筐体本体の剛性が向上し、また、操作キーの内面側に空間が確保されるので、操作キーの感触がよい。
【００２４】
第８の発明では、第７の発明において、
上記第２突出部は、基板表面との間に隙間を有するように設けられている。
【００２５】
上記の構成によると、操作キーを押し下げたときには、第１突出部が導電性可動接点を押し下げる動作を阻害しないので、操作キーの操作に悪影響をもたらすことはない。
【００２６】
第９の発明では、第８の発明において、
上記第２突出部と基板との隙間は、基板に設けられた導電性可動接点の動作変移量よりも大きい。
【００２７】
上記の構成によると、操作キーを真下に押し下げて導電性可動接点が変位しても、第２突出部が基板表面に接触せず、操作キーを傾けて押し下げたときには、第１突出部が導電性可動接点を押し下げる際に第２突出部が基板表面に当接してそれ以上操作キーが傾斜するのが防止される。このため、操作キーの感触を悪化させることを防ぎながら、操作キーのフランジがキー用貫通孔の周縁部から飛び出すのが防止される。
【００２８】
第１０の発明では、第１乃至第９のいずれか１つの発明において、
電子機器は、携帯電話機とする。
【００２９】
上記の構成によると、操作キーのフランジがキー用貫通孔の周縁部から飛び出さないので、頻繁に携帯され、日常生活で多用される携帯電話機の操作が快適に行われる。
【発明の効果】
【００３０】
以上説明したように、本発明によると、弾性シートにおけるキー用貫通孔の段部よりも内周側に導電性可動接点を固定接点に導通させる第１突出部と間隔をあけて第２突出部を設け、操作キーを押し下げたときに操作キーが傾くのを防止するようにしている。このため、簡単な構造で、操作キーの一端を押し下げたときに、他端側のフランジがキー用貫通孔の周縁部から飛び出すのを防止することができる。
【発明を実施するための最良の形態】
【００３１】
以下、本発明の実施形態を図面に基づいて説明する。
【００３２】
図２に本発明の実施形態にかかる電子機器としての携帯電話機１の開いた状態を示す。例えば、この携帯電話機１は、液晶表示部２を有する第１の筐体３と、表面に操作部４を有する第２の筐体５と、これら第１の筐体３と第２の筐体５とを折畳み開閉自在に連結すると共に、液晶表示部２を表裏回転可能に支持するヒンジ部６とを備えている。
【００３３】
図１に、図２のＩ−Ｉ線拡大断面図を示す。第２の筐体５内には、基板７が設けられている。第２の筐体５は、樹脂成形品よりなり、表面側の筐体本体１０と、この筐体本体１０の背面側を覆う背面カバー１１とを備えている。この筐体本体１０は、基板７を表面側から覆い、複数のキー用貫通孔１２を有している。各キー用貫通孔１２には、１つ又は複数の操作キー１４が配置されている。つまり、一部のキー用貫通孔１２は、上下方向に隣接する複数の操作キー１４が並んだ状態で１つのキー用貫通孔１２に配置されている。操作キー１４は、左右方向に細長い矩形状となっている。
【００３４】
キー用貫通孔１２の周縁部内面には、表面側に向けて凹んだ段部１３が形成されている。操作キー１４は、樹脂成形品よりなり、この段部１３に潜り込むフランジ１５を有している。
【００３５】
図３に、操作キー１４が接着された弾性シート１６を表側から見た斜視図を示す。図４に操作キー１４が接着された弾性シート１６を裏側から見た斜視図を示す。図５に図４のＶ部拡大斜視図を示す。
【００３６】
図３乃至図５に示すように、上記操作キー１４は、ゴム製の弾性シート１６に治具により位置出しをされて接着剤によって貼り付けられている。操作キー１４の裏面の全面が貼り付けられるのでなく、操作キー１４から接着剤がはみ出ないようにその中心にのみ接着剤が塗布されている。誤って接着剤がはみ出した場合、筐体本体１０に接着されて感触不良の原因になるからである。そのため、操作キー１４の周囲は弾性シート１６に接着されていない。図５に、この接着剤が塗布された接着部３０を示す。
【００３７】
弾性シート１６は、上記操作キー１４の真下に基板７側へ突出する、例えば円錐台形の第１突出部１８を備えている。各第１突出部１８が配置されていない領域には、第１突出部１８よりも高さが高く、基板７に当接する複数の当接部１９が基板７側へ向けて突出するように設けられている。すなわち、当接部１９は、筐体本体１０に設けた突起部１０ａと嵌合して弾性シート１６の位置出しをする役目をしている。このことで、当接部１９が基板７に当接した状態で、弾性シート１６と基板７との間に空間２１（図１にのみ示す）が形成されている。突起部１０ａを覆う弾性シート１６が基板７に接することで、筐体本体１０の剛性が向上し、また、操作キー１４の内面側に空間２１が確保されるので、操作キー１４の感触が低下するのが防止されている。
【００３８】
一方、上記基板７には、表面側へ山形に突出し、弾性力を有した平面視円形の導電性可動接点２２が設けられている。また、この可動接点２２の裏面側に導電性固定接点２３が設けられている。操作キー１４を押し下げない状態では、第１突出部１８が可動接点２２にほとんど当接しないか、又は、可動接点２２を押し下げないような力で若干当接した状態にある。
【００３９】
そして、操作キー１４を押し下げたときに、その第１突出部１８が可動接点２２を押し下げることで、可動接点２２が固定接点２３に導通し、各操作キー１４によって基板７に入力が行われるようになっている。また、操作キー１４は、ユーザーが指を離した段階で可動接点２２の反力によって押し戻されるようになっている。
【００４０】
そして、本発明の特徴として、弾性シート１６におけるキー用貫通孔１２の段部１３よりも内周側には、第１突出部１８と間隔をあけて第２突出部２０が形成されている。
【００４１】
つまり、第２突出部２０は、上下方向に長い平面視長円形状を有し、操作キー１４の長手方向（左右方向）に合わせて弾性シート１６内面の第１突出部１８の左右に一対設けられている。これら第１突出部１８と第２突出部２０と当接部１９とは、弾性シート１６に一体成形されている。このため、製造が極めて容易であり、コストアップは最小限となる。
【００４２】
また、第２突出部２０と基板７との隙間Ｘは、基板７に設けた導電性可動接点２２の動作変移量Ｙよりも大きくなっている（Ｘ＞Ｙ）。
【００４３】
−作用−
次に、本実施形態にかかる携帯電話機１の作用について説明する。
【００４４】
まず、操作キー１４を押し下げると、第１突出部１８が可動接点２２を押し下げ、この可動接点２２を基板７上の固定接点２３に導通させる。
【００４５】
このとき、操作キー１４の長手方向の一端側と他端側とに第２突出部２０をそれぞれ設けているので、操作キー１４の一端側を押し下げても、他端側の第２突出部２０が基板７に当接する。このため、操作キー１４が必要以上に傾くのが効果的に防止され、操作キー１４のフランジ１５がキー用貫通孔１２の周縁部から飛び出すことはない。
【００４６】
また、第２突出部２０と基板７との隙間Ｘは、基板７に設けられた可動接点２２の動作変移量Ｙよりも大きいので、操作キー１４を真下に押し下げて可動接点２２が変位しても、第２突出部２０が基板７表面に接触せず、操作キー１４を傾けて押し下げたときには、第１突出部１８が可動接点２２を押し下げる際に第２突出部２０が基板７表面に当接してそれ以上操作キー１４が傾斜するのが防止される。このため、操作キー１４の感触を悪化させることを防ぎながら、操作キー１４のフランジ１５がキー用貫通孔１２の周縁部から飛び出すのが防止される。
【００４７】
−実施形態の効果−
したがって、本実施形態にかかる携帯電話機１によると、弾性シート１６におけるキー用貫通孔１２の段部１３よりも内周側に第１突出部１８と間隔をあけて第２突出部２０を設け、操作キー１４を押し下げたときに操作キー１４が傾くのを防止するようにしている。このため、簡単な構造で、操作キー１４の一端を押し下げたときに、他端側のフランジ１５がキー用貫通孔１２の周縁部から飛び出すのを防止することができる。
【００４８】
このように、操作キー１４のフランジ１５がキー用貫通孔１２の周縁部から飛び出さないので、頻繁に携帯され、日常生活で多用される携帯電話機１の操作を快適に行うことができる。
【００４９】
（その他の実施形態）
本発明は、上記実施形態について、以下のような構成としてもよい。
【００５０】
すなわち、上記実施形態では、電子機器は、携帯電話機としたが、ＰＣ、モバイルツール、電子辞書、電卓、複写機等であってもよい。また、ＰＨＳ、ＰＤＡなどの携帯通信機器であってもよい。
【００５１】
上記実施形態では、操作キー１４は、左右方向に長細いものであるため、その長手方向の左端側と右端側とに第２突出部２０をそれぞれ設けたが、操作キー１４が上下方向に細長い場合には、上下方向に第２突出部２０をそれぞれ設けるとよい。このことで、操作キー１４を押し下げたときに操作キー１４が傾くのが効果的に防止される。
【００５２】
上記実施形態では、操作キー１４を上下方向に並べて１つのキー用貫通孔１２に設けているが、左右方向に並べて１つのキー用貫通孔１２に設けてもよい。この場合でも、第２突出部２０は、操作キー１４の長手方向の両端に第２突出部２０をそれぞれ設けるとよい。
【００５３】
また、第２突出部２０を第１突出部１８の周囲を囲むように設けてもよい。この場合にも、操作キー１４を押し下げたときに、操作キー１４のどの端部を押し下げても、反対側の第２突出部２０が確実に基板７表面に接触するので、操作キー１４を押し下げたときに操作キー１４が傾くのが防止される。このため、操作キー１４のフランジ１５がキー用貫通孔１２の周縁部から飛び出すことはない。
【００５４】
なお、以上の実施形態は、本質的に好ましい例示であって、本発明、その適用物や用途の範囲を制限することを意図するものではない。
【図面の簡単な説明】
【００５５】
【図１】図２のＩ−Ｉ線拡大断面図である。
【図２】本発明の実施形態にかかる携帯電話機の開いた状態を示す斜視図である。
【図３】操作キーが接着された弾性シートを表側から見た斜視図である。
【図４】操作キーが接着された弾性シートを裏側から見た斜視図である。
【図５】図４のＶ部拡大斜視図である。
【図６】従来技術にかかかる電子機器の図１相当図である。
【符号の説明】
【００５６】
１      携帯電話機（電子機器）
７      基板
１０      筐体本体
１０ａ    突起部
１２      キー用貫通孔
１３      段部
１４      操作キー
１５      フランジ
１６      弾性シート
１８      第１突出部
１９      当接部
２０      第２突出部
２１      空間
２２      導電性可動接点
２３      固定接点
３０      接着部
【図１】
2008192535.tif 000003
【図２】
2008192535.tif 000004
【図３】
2008192535.tif 000005
【図４】
2008192535.tif 000006
【図５】
2008192535.tif 000007
【図６】
2008192535.tif 000008